【手続補正書】
【提出日】平成23年12月7日(2011.12.7)
【手続補正１】
【補正対象書類名】明細書
【補正対象項目名】００７５
【補正方法】変更
【補正の内容】
【００７５】
【表１０】
2011507610.tif 000001
本出願では、以下の態様が提供される。
１．  ビグアニドを含むセルローススポンジであって、前記セルローススポンジは、水による１００回のすすぎ及び搾りのサイクルの後に前記セルローススポンジの乾燥重量に対して少なくとも０．０２重量％のビグアニドを維持することによって前記セルローススポンジ内の微生物の少なくとも３の対数減少をもたらす、セルローススポンジ。
２．  前記セルローススポンジ内の微生物の低減が５分以内に起こる、態様１に記載のセルローススポンジ。
３．  前記セルローススポンジが、水による１００回のすすぎ及び搾りのサイクルの後に前記セルローススポンジの乾燥重量に対して少なくとも０．５重量％のビグアニドを維持することによって前記セルローススポンジ内の微生物を１００％低減させる、態様１に記載のセルローススポンジ。
４．  前記セルローススポンジの乾燥重量に対して少なくとも０．４重量％のビグアニドを含む、パッケージ内のセルローススポンジであって、前記パッケージから取り出され、水による１００回のすすぎ及び搾りのサイクルの後に、前記セルローススポンジの乾燥重量に対して少なくとも０．０２重量％のビグアニドが前記スポンジ内に残留することによって前記セルローススポンジ内の微生物の少なくとも３の対数減少をもたらす、セルローススポンジ。
５．  前記パッケージ内の前記セルローススポンジが、前記パッケージ内の水分活性（ａｗ）を０．９１よりも低くするような湿潤剤を更に含む、態様４に記載のセルローススポンジ。
６．  前記セルローススポンジ内の微生物の低減が５分以内に起こる、態様４に記載のセルローススポンジ。
７．  前記パッケージ内のセルローススポンジが、前記セルローススポンジの乾燥重量に対して少なくとも１．２５重量％のビグアニドを含み、前記パッケージから取り出され、水による１００回のすすぎ及び搾りのサイクルの後に、前記セルローススポンジの乾燥重量に対して少なくとも０．５重量％のビグアニドが前記セルローススポンジ内に残留することによって前記セルローススポンジ内の微生物を１００％低減させる、態様５に記載のセルローススポンジ。
８．  セルローススポンジであって、セルローススポンジを提供する工程と、前記セルローススポンジに０．１〜２．０重量％のビグアニドを含む投入溶液を吸収させる工程と、前記セルローススポンジを密封されたパッケージにパッケージングする工程であって、前記パッケージングされたセルローススポンジが前記セルローススポンジの乾燥重量に対して少なくとも０．４重量％のビグアニドを含む工程と、を含むプロセスによって製造されるセルローススポンジ。
９．  前記パッケージングされたセルローススポンジが、前記セルローススポンジの乾燥重量に対して少なくとも１．２５重量％のビグアニドを含む、態様８に記載のセルローススポンジ。
１０．  前記プロセスが、前記セルローススポンジを繰り返しすすぎ、前記スポンジ内に前記セルローススポンジの乾燥重量に対して少なくとも０．０２重量％のビグアニドを維持することによって前記セルローススポンジ内の微生物に５分以内に少なくとも３の対数減少をもたらすことを更に含む、態様８に記載のセルローススポンジ。
１１．  前記プロセスが、前記セルローススポンジを繰り返し水ですすぎ、前記スポンジ内に前記セルローススポンジの乾燥重量に対して少なくとも０．５重量％のビグアニドを維持することによって前記セルローススポンジ内の微生物を５分以内に１００％低減させることを更に含む、態様８に記載のセルローススポンジ。
１２．  前記投入溶液が、前記パッケージングされたセルローススポンジの水分活性（ａｗ）が０．９１よりも低くなるような湿潤剤を含む、態様８に記載のセルローススポンジ。
１３．  セルローススポンジの乾燥重量に対して少なくとも１．２５重量％のビグアニドと、パッケージ内の水分活性（ａｗ）を０．９１よりも低くするような湿潤剤とを含む、パッケージ内のセルローススポンジであって、前記パッケージから前記セルローススポンジを取り出し、水による１００回のすすぎ及び搾りのサイクルの後に、前記セルローススポンジの乾燥重量に対して少なくとも０．５重量％のビグアニドが前記セルローススポンジ内に残留することによって前記スポンジ内の微生物を５分以内に１００％低減させる、セルローススポンジ。
１４．  抗微生物洗浄用品を製造するための方法であって、セルローススポンジを提供する工程と、前記セルローススポンジに少なくとも０．１重量％のビグアニドを含む投入溶液を吸収させる工程と、前記ビグアニドを前記セルローススポンジ内部に結合させる工程と、前記セルローススポンジを密封されたパッケージにパッケージングする工程であって、前記パッケージングされたセルローススポンジが前記セルローススポンジの乾燥重量に対して少なくとも０．４重量％のビグアニドを含む工程と、を含む方法。
１５．  前記セルローススポンジを繰り返しすすぎ、前記セルローススポンジの乾燥重量に対して少なくとも０．０２重量％のビグアニドを維持することによって前記セルローススポンジ内の微生物の少なくとも３の対数減少をもたらす工程を更に含む、態様１４に記載の方法。
１６．  前記パッケージングされたセルローススポンジが、前記セルローススポンジの乾燥重量に対して少なくとも１．２５重量％のビグアニドを含む、態様１４に記載の方法。
１７．  前記セルローススポンジを繰り返しすすぎ、前記セルローススポンジの乾燥重量に対して少なくとも０．５重量％のビグアニドを前記スポンジ内に維持することによって前記セルローススポンジ内の微生物を１００％低減させる工程を更に含む、態様１６に記載の方法。
１８．  前記投入溶液が湿潤剤を更に含み、前記パッケージングされたセルローススポンジが０．９１よりも低い水分活性（ａｗ）を有する、態様１４に記載の方法。
１９．  前記投入溶液が１０〜１４重量％の塩化マグネシウムを含む、態様１８に記載の方法。
２０．  洗浄構造体の抗微生物能力を維持するための方法であって、アニオン性官能基を有するセルローススポンジを提供する工程と、前記セルローススポンジに、カチオン性官能基を有するビグアニドを含む投入溶液を吸収させる工程と、前記ビグアニドの前記カチオン性官能基を前記セルローススポンジの前記アニオン性官能基と結合させる工程と、前記セルローススポンジを水に繰り返し曝露することによってすすぐ工程であって、前記結合したビグアニドが、前記セルローススポンジ内の微生物の数に少なくとも３の対数減少をもたらす能力を維持する工程と、を含む方法。
【手続補正２】
【補正対象書類名】特許請求の範囲
【補正対象項目名】全文
【補正方法】変更
【補正の内容】
【特許請求の範囲】
【請求項１】
洗浄構造体の抗微生物能力を維持するための方法であって、
セルローススポンジの製造中に形成されるアニオン性官能基を有する前記セルローススポンジを提供する工程と、
前記セルローススポンジに、カチオン性官能基を有するビグアニドと任意の湿潤剤を含む投入溶液を吸収させる工程と、
前記ビグアニドの前記カチオン性官能基を前記セルローススポンジの前記アニオン性官能基と結合させる工程と、及び
前記セルローススポンジを水に繰り返し曝露することによってすすぐ工程であって、前記結合したビグアニドが、前記セルローススポンジ内の微生物の数に少なくとも３の対数減少をもたらす能力を維持する工程を含み、
前記セルローススポンジが、水による１００回のすすぎ及び搾りのサイクルの後に前記セルローススポンジの乾燥重量に対して少なくとも０．０２重量％のビグアニドを維持することによって、前記セルローススポンジ内の微生物の数に少なくとも３の対数減少をもたらす、方法。
【請求項２】
前記セルローススポンジを密封されたパッケージにパッケージングする工程であって、前記パッケージングされたセルローススポンジが前記セルローススポンジの乾燥重量に対して少なくとも０．４重量％のビグアニドを含む、工程
をさらに含む、請求項１に記載の方法。
【請求項３】
前記ビグアニドが、下記一般式
【化１】
2011507610.tif 000002
（式中、
Ｘ１及びＸ２は、水素又は任意の脂肪族、脂環族、芳香族、置換された脂肪族、置換された芳香族、複素環式脂肪族、複素環族、複素環式芳香族、又はこれらの任意のものの混合物であり、
Ｙ１及びＹ２は、任意の脂肪族、脂環族、芳香族、置換された脂肪族、置換された芳香族、複素環式脂肪族、複素環族、複素環式芳香族、又はこれらの任意のものの混合物であり、
Ｍは、１以上の数であり、
Ｚ１及びＺ２は、水素である。）
を有する、請求項１に記載の方法。